(57)【要約】      （修正有）【課題】表示パネルを容易に再利用することができ、しかも、表示パネルに対する信号伝達手段を表示装置の美観を損ねずに備えた表示装置を提供する。【解決手段】画素３ａを駆動する複数の駆動素子３９および駆動素子３９に電気的に接続された第１端子群３１を備える表示パネル３と、表示パネル３が載置されるべき表面５ａを有し、表面５ａに複数の配線５１およびその複数の配線５１に接続された第２端子群５２を備える支持部材５と、直線状または屈曲した形状の棒状材を用いて表示パネル３の縁部に沿って設けられ、表示パネル３を支持部材５の表面５ａにおける所定の位置に保持する保持部材４と、を備え、第１端子群３１は表示パネル３における支持部材５に向けられるべき表面５ａに備えられており、表示パネル３が支持部材５の表面５ａに載置され、第１端子群３１を構成する各端子が、第２端子群５２を構成する各端子に接続される。【選択図】図１
2019113826.tif 000002
【特許請求の範囲】
【請求項１】
画素を駆動する複数の駆動素子および前記駆動素子に電気的に接続された第１端子群を備える表示パネルと、
前記表示パネルが載置されるべき表面を有し、前記表面に複数の配線および前記複数の配線に接続された第２端子群を備える支持部材と、
直線状または屈曲した形状の棒状材を用いて前記表示パネルの縁部に沿って設けられ、前記表示パネルを前記支持部材の前記表面における所定の位置に保持する保持部材と、を備え、
前記保持部材は前記表面に接着されており、
前記第１端子群は前記表示パネルにおける前記支持部材に向けられるべき表面に備えられており、
前記表示パネルが前記支持部材の前記表面に載置され、前記第１端子群を構成する各端子が、前記第２端子群を構成する各端子に接続されている、表示装置。
【請求項２】
前記配線および前記第２端子群は、前記支持部材と別個の基材に形成されており、前記基材が前記支持部材の前記表面に接着されている、請求項１に記載の表示装置。
【請求項３】
画素を駆動する複数の駆動素子および前記駆動素子に電気的に接続された第１端子群を備える表示パネルと、
前記表示パネルが載置されるべき表面を有し、前記表面に複数の配線および前記複数の配線に接続された第２端子群を備える支持部材と、
直線状または屈曲した形状の棒状材を用いて前記表示パネルの縁部に沿って設けられ、前記表示パネルを前記支持部材の前記表面における所定の位置に保持する保持部材と、を備え、
前記第１端子群は前記表示パネルにおける前記支持部材に向けられるべき表面に備えられており、
前記表示パネルが前記支持部材の前記表面に載置され、前記第１端子群を構成する各端子が、前記第２端子群を構成する各端子に接続され、
前記配線および前記第２端子群は、前記支持部材と別個の基材に形成されており、前記基材が前記支持部材の前記表面に接着されている、表示装置。
【請求項４】
前記保持部材は前記表示パネルの前記縁部と部分的に当接しており、
前記表示パネルの前記縁部における前記保持部材と当接していない部分と前記支持部材とのすきまが、樹脂の固化物または有機膜もしくは無機膜によって構成される封止部材を用いて覆われている、請求項１〜３のいずれか１項に記載の表示装置。
【請求項５】
前記封止部材は前記表示パネルの全周にわたって枠状に形成されている、請求項４に記載の表示装置。
【請求項６】
画素を駆動する複数の駆動素子および前記駆動素子に電気的に接続された第１端子群を備える表示パネルと、
前記表示パネルが載置されるべき表面を有し、前記表面に複数の配線および前記複数の配線に接続された第２端子群を備える支持部材と、
直線状または屈曲した形状の棒状材を用いて前記表示パネルの縁部に沿って設けられ、前記表示パネルを前記支持部材の前記表面における所定の位置に保持する保持部材と、を備え、
前記第１端子群は前記表示パネルにおける前記支持部材に向けられるべき表面に備えられており、
前記表示パネルが前記支持部材の前記表面に載置され、前記第１端子群を構成する各端子が、前記第２端子群を構成する各端子に接続され、
前記保持部材は前記表示パネルの前記縁部と部分的に当接しており、
前記表示パネルの前記縁部における前記保持部材と当接していない部分と前記支持部材とのすきまが、樹脂の固化物または有機膜もしくは無機膜によって構成される封止部材を用いて覆われており、
前記封止部材は前記表示パネルの全周にわたって枠状に形成されている、表示装置。
【請求項７】
前記複数の駆動素子は、前記表示パネルにおける前記支持部材に向けられるべき表面と反対の表面に備えられており、
前記第１端子群は、前記表示パネルに形成されたスルーホール導体を介して前記複数の駆動素子に電気的に接続されている、請求項１〜６のいずれか１項に記載の表示装置。
【請求項８】
前記表示パネルは、前記支持部材に向けられるべき表面から前記表示パネルの側面上を通って、前記支持部材に向けられるべき表面と反対面へと延びる複数の中継配線をさらに備え、
前記複数の駆動素子は、前記複数の中継配線を介して前記第１端子群に電気的に接続されている、請求項１〜６のいずれか１項に記載の表示装置。
【請求項９】
画素を駆動する複数の駆動素子および前記駆動素子に電気的に接続された第１端子群を備える表示パネルと、
前記表示パネルが載置されるべき表面を有し、前記表面に複数の配線および前記複数の配線に接続された第２端子群を備える支持部材と、
直線状または屈曲した形状の棒状材を用いて前記表示パネルの縁部に沿って設けられ、前記表示パネルを前記支持部材の前記表面における所定の位置に保持する保持部材と、を備え、
前記第１端子群は前記表示パネルにおける前記支持部材に向けられるべき表面に備えられており、
前記表示パネルが前記支持部材の前記表面に載置され、前記第１端子群を構成する各端子が、前記第２端子群を構成する各端子に接続され、
前記表示パネルは、前記支持部材に向けられるべき表面から前記表示パネルの側面上を通って、前記支持部材に向けられるべき表面と反対面へと延びる複数の中継配線をさらに備え、
前記複数の駆動素子は、前記複数の中継配線を介して前記第１端子群に電気的に接続されている、表示装置。
【請求項１０】
画素および前記画素を駆動する複数の駆動素子ならびに前記複数の駆動素子に電気的に接続された第１端子群を含む表示パネルを形成し、
前記表示パネルが載置されるべき表面を有する支持部材の前記表面に複数の配線および前記複数の配線に接続された第２端子群を形成し、
直線状または屈曲した形状の棒状材を前記支持部材の前記表面に接着することによって、前記表示パネルを前記表面に保持する保持部材を設け、
前記表示パネルの縁部の少なくとも一部を前記棒状材に当接させ、
前記表示パネルを前記支持部材の前記表面に載置する、
ことを含み、
前記表示パネルの前記支持部材の前記表面への載置において、前記第１端子群を前記表面に向けて前記表示パネルを前記表面に載置し、前記第１端子群を構成する各端子と前記第２端子群を構成する各端子とを接続する、
ことを含む、表示装置の製造方法。
【請求項１１】
前記表示パネルと前記保持部材とのすきま、および、前記表示パネルの縁部における前記保持部材と当接していない部分と前記支持部材とのすきまに樹脂を供給すること、または有機膜もしくは無機膜を被せることによって、前記表示パネルと前記保持部材とのすきまおよび前記表示パネルの前記部分と前記支持部材とのすきまを覆う封止部材を前記表示パネルの縁部に枠状に形成することをさらに含んでいる、請求項１０に記載の表示装置の製造方法。
【発明の詳細な説明】
【技術分野】
【０００１】
本発明は、表示装置および表示装置の製造方法に関する。
【背景技術】
【０００２】
近年、有機ＥＬ表示装置および液晶表示装置などの平面型の表示装置には、薄型化の要求に応えるべく、樹脂フィルムまたは薄いガラス板をベース材に用いて形成された表示パネルが用いられている。樹脂フィルムなどの極薄い素材がベース材として用いられた薄型の表示パネルは、多くの表示装置において、その用途に適した保形性または機械的強度の付与のために任意の支持体の表面に貼り付けられている。たとえば、特許文献１には、ガラス板に貼り付けられた画像表示パネルを有するデジタルサイネージが開示されている。特許文献１では、画像表示パネルの表示面が、光硬化性樹脂を含む層を介してほぼ全面的に窓ガラスに貼り付けられている。
【先行技術文献】
【特許文献】
【０００３】
【特許文献１】特開２０１６−９７６５０号公報
【発明の概要】
【発明が解決しようとする課題】
【０００４】
特許文献１のように、光硬化性樹脂や熱硬化性樹脂などによって構成される接着剤を用いて表示面もしくはその反対面をほぼ全面的に支持体に貼り合わされた表示パネルを支持体から取り外すのは極めて困難である。そのため、たとえば表示パネルおよび支持体のいずれか一方に欠陥が生じた場合に、正常に機能を維持する他方を継続して利用すること、または他の装置で再利用することは困難であると考えられる。また、特許文献１に開示の貼り付け方法では、表示パネルをガラス板の所定の位置に正確に貼り付けることは困難である。さらに、表示パネルへの画像信号などの伝達手段を別途準備する必要がある。
【０００５】
本発明は、表示パネルまたはその支持体を当該表示装置または別の表示装置において容易に再利用することができ、しかも、表示パネルに対する信号伝達手段を表示装置の美観を損ねずに備えた表示装置を提供することを目的とする。また、本発明は、そのように構成要素の再利用が容易で、表示パネルを適正な位置に備え、しかも、表示パネルに対する信号伝達手段を表示装置の美観を損ねずに備える表示装置を容易に製造することができる、表示装置の製造方法を提供することを目的とする。
【課題を解決するための手段】
【０００６】
本発明の一実施形態の表示装置は、画素を駆動する複数の駆動素子および前記駆動素子に電気的に接続された第１端子群を備える表示パネルと、前記表示パネルが載置されるべき表面を有し、前記表面に複数の配線および前記複数の配線に接続された第２端子群を備える支持部材と、直線状または屈曲した形状の棒状材を用いて前記表示パネルの縁部に沿って設けられ、前記表示パネルを前記支持部材の前記表面における所定の位置に保持する保持部材と、を備え、前記第１端子群は前記表示パネルにおける前記支持部材に向けられるべき表面に備えられており、前記表示パネルが前記支持部材の前記表面に載置され、前記第１端子群を構成する各端子が、前記第２端子群を構成する各端子に接続されている。
【０００７】
本発明の他の実施形態の表示装置の製造方法は、画素および前記画素を駆動する複数の駆動素子ならびに前記複数の駆動素子に電気的に接続された第１端子群を含む表示パネルを形成し、前記表示パネルが載置されるべき表面を有する支持部材の前記表面に複数の配線および前記複数の配線に接続された第２端子群を形成し、直線状または屈曲した形状の棒状材を前記支持部材の前記表面に接着することによって、前記表示パネルを前記表面に保持する保持部材を設け、前記表示パネルの縁部の少なくとも一部を前記棒状材に当接させ、前記表示パネルを前記支持部材の前記表面に載置する、ことを含み、前記表示パネルの前記支持部材の前記表面への載置において、前記第１端子群を前記表面に向けて前記表示パネルを前記表面に載置し、前記第１端子群を構成する各端子と前記第２端子群を構成する各端子とを接続する、ことを含んでいる。
【発明の効果】
【０００８】
本発明の一実施形態によれば、表示パネルまたは支持部材を当該表示装置または別の表示装置において容易に再利用することができ、しかも、表示パネルに対する信号伝達手段を表示装置の美観を損ねずに備えることができる。また、本発明の他の実施形態によれば、構成要素の再利用が容易で、表示パネルを適正な位置に備え、しかも、表示パネルに対する信号伝達手段を表示装置の美観を損ねずに備える表示装置を容易に製造することができる。
【図面の簡単な説明】
【０００９】
【図１】本発明の実施形態１の表示装置の一例を示す正面図である。
【図２】図１のII−II線での断面図である。
【図３Ａ】図２のIIIＡ部の拡大図である。
【図３Ｂ】実施形態１の表示装置における保持部材の他の例を示す断面図である。
【図４】図１のIV−IV線での断面の一部の拡大図である。
【図５Ａ】実施形態１の表示装置における表示パネルに中継配線が設けられる例を示す断面図である。
【図５Ｂ】実施形態１の表示装置における中継配線の一例を示す斜視図である。
【図６】実施形態１の表示装置において支持部材と別個の基材に形成された配線の一例を示す図である。
【図７Ａ】実施形態１の表示装置において、表示パネルと、保持部材および支持部材との間が樹脂などによって覆われている例を示す図である。
【図７Ｂ】図７のVIIＢ−VIIＢ線での断面の拡大図である。
【図８】実施形態１の表示装置における保持部材の他の例を示す断面図である。
【図９】実施形態１の表示装置の他の例を示す断面図である。
【図１０】実施形態１の表示装置における支持部材が自動車のフロントガラスによって構成されている例を示す図である。
【図１１】実施形態１の表示装置に用いられる表示パネルの構造の一例を拡大して模式的に示す断面図である。
【図１２】本発明の実施形態２の表示装置の製造方法の一例を示す図である。
【図１３】実施形態２の表示装置の製造方法における第１端子群と第２端子群との接続工程の一例を示す図である。
【発明を実施するための形態】
【００１０】
本発明者は、支持体の表面に固定された表示パネルを有する表示装置において、一部の構成要素に欠陥が生じた場合などに、欠陥の無い表示パネルまたは支持体の再利用を可能にする構造について鋭意検討を重ねた。そして、表示パネルを支持体の所定の位置に保持し得る部材を介して表示パネルが支持体に固定される構造を用いることによって、表示パネルを支持体の表面に適切に固定することができ、かつ、必要に応じて表示パネルを支持体から容易に取り外すことができることを見出した。すなわち、表示パネルは、接着剤などを用いて全面的に支持体に接着されることなく、表示パネルを支持体上に保持すべく形成された保持部材と係合し、その保持部材が支持体に接着される。表示パネルにおける支持体に対する相対的な動きは保持部材によって制限されるため、表示パネルは支持体の表面の所定の位置に固定される。そして、表示パネルを支持体から取り外すときには、互いに接着されないで単に係合している保持部材と表示パネルとを分離することによって、容易に表示パネルを支持体から取り外すことができる。
【００１１】
さらに、本発明者は、支持体上に保持される表示パネルに印加される駆動信号などを伝達する配線を支持体上に設けることによって、表示装置の美観を向上させ得ることを見出した。すなわち、従来、このような配線としては、ＦＰＣ（Flexible Printed Circuit）などが主に用いられているが、本発明者は、このＦＰＣなどの配線によって表示装置の美観が損ねられるのを防止するという課題と、その解決策とを見出したのである。従来の表示装置では、この配線を構成するＦＰＣなどは、その端部において、表示パネル、または駆動信号を生成するドライバなどに接続される。しかし、ＦＰＣなどは、その中間部分を固定されることなく宙に浮かせた状態で、しかも、張力が加わらないように、主に表示装置を見る人に向って撓んだ状態で用いられる。従来のテレビ受像機やスマートフォンなどでは、このようなＦＰＣなどの配線は、筐体などで覆われるため表示装置を見る人の目に触れることはない。しかし、支持体からの取り外しの容易性などへの配慮から筐体などが設けられない場合、表示パネルの周囲において宙に浮いた多数の配線、または並列する多数の配線を備えるＦＰＣは、表示装置を見る人の目に付き易く、従って表示装置の美観を損ねるおそれがある。たとえば振動が加わった場合などに揺れ動く配線は目障りである。特に車室内などの比較的狭い空間に表示装置が配置され、その近傍から表示画面が注視される場合、このような搖動し得る配線は表示装置の外観上の品位を貶めかねない。
【００１２】
これに対して、支持体上に配線を設け、その配線と表示パネルとが接続される構造を用いることによって、搖動し得ない配線を、表示装置を見る人の目から見て表示画面よりも奥まった位置に整然と備えることができる。その結果、ユーザーにすっきりとした印象を与えることができ、従来では、表示パネルの周囲の配線によって低下されるおそれのあった表示装置の美観を向上させることができる。
【００１３】
以下、図面を参照し、本発明における実施形態の表示装置および表示装置の製造方法を説明する。なお、以下に説明される実施形態における各構成要素の材質、形状、および、それらの相対的な位置関係などは、あくまで例示に過ぎない。本発明の表示装置および表示装置の製造方法は、これらによって限定的に解釈されるものではない。
【００１４】
［表示装置］
図１には、実施形態１の表示装置１の正面図が示され、図２には、図１のII−II線における表示装置１の断面図が示されている。また、図３Ａには、図２におけるIIIＡ部の拡大図が示されている。表示装置１は、画素３ａを駆動する複数の駆動素子３９および駆動素子３９に電気的に接続された第１端子群３１を備える表示パネル３と、表示パネル３が載置されるべき表面５ａを有し、表面５ａに複数の配線５１および複数の配線５１に接続された第２端子群５２を備える支持部材５と、屈曲した形状の棒状材を用いて表示パネル３の縁部に沿って設けられ、支持部材５の表面５ａに接着された保持部材４と、を備えている。保持部材４は、表示パネル３を支持部材５の表面５ａにおける所定の位置に保持している。保持部材４は、図１の例では、コの字状に屈曲した形状の棒状材を用いて形成された、一辺に不連続部を有する枠体である。第１端子群３１は、表示パネル３における支持部材５に向けられるべき表面（以下、第１面３ｆともいう）に備えられている。表示パネル３は支持部材５の表面５ａに載置されており、第１端子群３１を構成する各端子が、第２端子群５２を構成する各端子に接続されている。
【００１５】
なお、図２および以下の説明で参照する各断面図では、第１および第２の端子群３１、５２などの見易さのために各構成要素が表示パネル３の厚さ方向において適宜強調して描かれている。そのため、図２、図７Ｂおよび図８などにおいて、表示パネル３と支持部材５との間に空間が生じている。しかし、各端子群の実際の厚さは、後述するように数μｍ程度の場合もあるため、このような空間はなくてもよい。すなわち、表示パネル３と支持部材５とが表示パネル３の第１面３ｆの大半において接触していてもよい。また、表示パネル３と支持部材５との間の空間が任意の層状物で埋められていてもよい。たとえば、粘着性の材料を用いて形成される弱粘着層（図示せず）が表示パネル３と支持部材５との間に設けられていてもよい。このような弱粘着層を設けることによって、表示パネル３と支持部材５とを隙間なく密着させることができ、また、表示パネル３を支持部材５から取り外すときには、弱粘着層は単に密着しているだけであるため、容易に表面５ａから表示パネル３を剥離することができる。このような弱粘着層は、たとえば、アクリル系、シリコーン系またはウレタン系の樹脂を単独で、または複数組み合わせて主成分として含む粘着剤から構成される。
【００１６】
本実施形態では、表示パネル３は、その縁部において保持部材４と係合しており、保持部材４によって支持部材５の表面５ａの所定の位置に保持されている。しかし、表示パネル３自身は、第１面３ｆにおける第１端子群３１とその周囲とを除く部分では、すなわち、第１面３ｆの大半では支持部材５に接着されていない。従って、第１端子群３１およびその周囲の極めて限定的な領域だけに設けられる、第１端子群３１と第２端子群５２との接続手段の作用を喪失させるだけで表示パネル３を容易に支持部材５から取り外すことができる。従って、支持部材５に欠陥が生じた場合には、表示パネル３を取り外して他の支持部材と組み合わせることによって、表示パネル３を容易に再利用することができる。また、表示パネル３が破損したときは、表示パネル３を取り外し、他の表示パネルを載置することによって支持部材５を再利用することができる。
【００１７】
また、表示パネル３の駆動素子３９と接続された第１端子群３１が第２端子群５２に接続されており、第２端子群５２は配線５１に接続されている。従って、ドライバ（図示せず）などに接続された導電線（図示せず）を配線５１に接続することによって、駆動素子３９に駆動信号などを印加することができる。すなわち、ＦＰＣなどにより構成される従来の配線を宙に浮かせた状態で配置する必要はない。図示されないドライバなどに接続された導電線と配線５１との接続は、配線５１における任意の位置で行うことが可能であり、表示パネル３から離れた位置（たとえば配線５１における表示パネル３に対する遠位端）で行うことも可能である。従って、表示パネル３からドライバなどに向って延びるＦＰＣなどの配線によって表示装置１の美観が損ねられることを防ぐことができる。
【００１８】
表示パネル３は、図１〜図３Ｂの例では矩形の正面形状を有し、第１面３ｆと反対の第２面３ｓに画素形成領域３ｃを有している。画素形成領域３ｃにおいて、マトリクス状の配置で複数の画素３ａが形成されている。画素３ａは駆動素子３９を備え、駆動素子３９は、第２面３ｓ上に形成された配線３ｂを介して第１端子群３１を構成する各端子に接続されている。なお、図１では複数の画素３ａは模式的に描かれているに過ぎず、表示パネル３の画面サイズおよび解像度に応じて図１よりも遥かに多くの画素３ａが形成され得る。また、各画素３ａは複数の駆動素子３９を有し得る。表示パネル３としては、有機ＥＬ表示パネルまたは液晶表示パネルが例示される。なお、図２などの断面図では、表示パネル３が有機ＥＬ表示パネルである場合を例に、画素形成領域３ｃが、表示パネル３の表面（たとえば図２において第２面３ｓ）から突出するように示されている。しかし、表示パネル３が液晶表示パネルである場合、画素形成領域３ｃは、表示パネル３の表面においてその周囲の部分よりも突出していなくてもよい。
【００１９】
表示パネル３は、第２面３ｓにおいて画素形成領域３ｃに占められていない余白部分を有している。図１の例では、表示パネル３は、矩形の正面形状の一辺（図１における右辺）の近傍に、この一辺に沿った長手方向を有する余白部分を有しており、第１面３ｆにおいてこの余白部分に相対する部分の長手方向に沿って、第１端子群３１を構成する複数の端子が配列されている。第１端子群３１を構成する各端子は、たとえば、その配列方向において、５０μｍ以上、３００μｍ以下程度の幅を有し、１００μｍ以上、６００μｍ以下程度のピッチで配列され得る。また、第１端子群３１を構成する各端子は、たとえば、５μｍ以上、３０μｍ以下の厚さを有し得る。しかし、第１端子群３１を構成する各端子の幅、配列ピッチ、および厚さは、これらに限定されない。図２および図３Ａに示されるように、第１端子群３１を構成する各端子と、第２面３ｓに形成された配線３ｂとは、スルーホール導体３ｄを介して接続されている。なお、図３Ａにおいて二点鎖線で囲まれて符号７を付された領域は、後述する封止部材を示している。
【００２０】
配線３ｂは、銅もしくはニッケルなどの遮光性の金属、または、酸化インジウムスズ（ＩＴＯ）もしくは酸化インジウム−酸化亜鉛（ＩＺＯ）などの透光性の導電性材料を用いて形成され得る。また、第１端子群３１を構成する各端子は、配線３ｂと同様の材料で形成され、さらに、これらの材料で形成された導体パターン上に金めっき膜による被覆層を有していることが好ましい。自然酸化膜の形成が無く、支持部材５の交換などに伴って第２端子群５２との間で脱着を行っても良好な電気的接続が維持されるからである。なお、スルーホール導体３ｄは、表示パネル３を構成する基板３ｅに形成された貫通孔を銅またはニッケルなどで充填することによって形成され得る。
【００２１】
支持部材５は、表示パネル３を適切に支持し得るものであれば、その形状や材料について特に限定されない。支持部材５は、好ましくは、配線５１を十分な密着強度で直接形成され得る表面５ａを構成し得る材料を用いて形成される。しかし、後述するように、配線５１は別個の基材５０（図６参照）に形成されたうえで表面５ａに接着されてもよい。従って、支持部材５は、必ずしも表面５ａに配線５１を直接形成し得るものでなくてもよい。支持部材５は、ガラス、金属、および合成樹脂などの任意の材料を用いて形成され得る。また、支持部材５は、各種機器の筐体、住居の窓、ショーウィンドウもしくは展示用ケースなどに用いられているガラス板であってもよい。また、支持部材５は、乗り物、たとえば自動車または電車などの車両の窓ガラスによって構成されていてもよく、その場合、表面５ａは、たとえば自動車のフロントガラスなどにおいて車室に向けられる面である。また、表面５は、平面であってもよく、任意の曲率で湾曲する曲面であってもよい。
【００２２】
支持部材５が自動車のフロントガラスである場合、配線５１は、自動車の前後方向に垂直な平面へのフロントガラスの投影像において上部２０％以内となる領域に設けられるのが好ましい。また、配線５１が、後述する銅などの遮光性の金属材料で形成されている場合は、複数の配線５１それぞれの間には遮光性の部材が無いように、すなわち、複数の配線５１それぞれの間にフロントガラスが露出していることが好ましい。そうすることによって、運転時の前方の視界が十分に確保でき、安全な運行に寄与することができる。なお、「フロントガラスが露出している」は、フロントガラスが車室内の人に視認され得る状態にあり、その結果、車室内の人にとってフロントガラスを通して前方が透過して見える状態にあることを意味している。従って、フロントガラスを物理的に覆うものが全くない状態に加えて、たとえば、配線５１の間において（または配線５１と共に）フロントガラスが透明な樹脂に覆われている状態も「フロントガラスが露出している」に含まれる。このように配線５１の間においてフロントガラスが樹脂で覆われることによって、配線５１とフロントガラスとの界面からの水分の浸入が防がれると共に、フロントガラスが外部からの機械的ストレスから保護される。さらに、配線５１によるフロントガラスの表面上の凹凸も少なくなり得る。
【００２３】
配線５１および第２端子群５２の材料としては、銀などを含む導電性ペースト、銅、チタン、アルミニウム、ＩＴＯ、またはＩＺＯなどが例示される。第２端子群５２は、さらに、前述した第１端子群３１と同様に、これらの材料で形成された導体パターン上に金めっき膜による被覆層を有していることが好ましい。表示パネル３の交換などに伴って第１端子群３１との間で脱着を行っても良好な電気的接続が維持されるからである。支持部材５がガラスなどの透光性の材料で形成されている場合、少なくとも配線５１は、光の透過を妨げないようにＩＴＯおよびＩＺＯなどの光を透し得る材料で形成されるのが好ましい。配線５１および第２端子群５２は、たとえば、１μｍ以上、３００μｍ以下程度の厚さに形成されるが、配線５１および第２端子群５２の厚さはこの範囲の厚さに限定されない。
【００２４】
第２端子群５２は、表示パネル３が表面５ａの所定の位置に配置されたときに第１端子群３１と相対する位置に形成される。図１に示される例では、第２端子群５２を構成する複数の端子は、第１端子群３１を構成する各端子の配列ピッチと同じピッチで一列に配列されている。
【００２５】
複数の配線５１のそれぞれは並行しており、第２端子群５２から支持部材５の縁部に向って延びている。図１の例では、配線５１は、第２端子群５２から、第２端子群５２の配列方向と直交する向きに表示パネル３の外方に向って延び、ほぼ直角の屈曲部を経て、支持部材５における第２端子群５２の配列方向と直交する方向の縁部に向って延びている。図示されていないが、配線５１は、好ましくは、第２端子群５２に対する遠位端において、図示されないドライバに接続されている導電線との接続部を有していてもよい。そのような接続部が表示パネル３を見る人の目に付き難いように表示パネル３から遠ざけるという観点では、配線５１は、第２端子群５２から、支持部材５の縁部に向って、特に支持部材５における表示パネル３から離れた縁部に向って延びていることが好ましい。一方、配線５１の導体抵抗が比較的高い場合は、配線５１は、支持部材５における表示パネル３の近傍の縁部に向かって延びていることが好ましいこともある。その場合、表示パネル３は支持部材５の縁部に載置されるのが好ましく、支持部材５が表面５ａにおいて矩形の形状を有している場合、表示パネル３は、支持部材５の表面５ａにおけるコーナー部に載置されるのが好ましい。支持部材５のコーナー部への表示パネル３の載置は、画像の非表示時に表示パネル３自体が人の目に付き難いという点でも好ましい。なお、複数の配線５１それぞれの経路は、図１の例に限定されない。また、配線５１は、ポリエステルまたはポリエチレンテレフタレレート（ＰＥＴ）などから形成される保護フィルムによって覆われていてもよい。
【００２６】
保持部材４は、表示パネル３の縁部と係合し、かつ、支持部材５の表面５ａに接着剤８１を用いて接着されている。保持部材４は、表示パネル３の縁部の一部または全部に設けられる。図１の例では、保持部材４は、矩形の正面形状を有する表示パネル３の三辺に沿って設けられており、コの字状の正面形状を有している。保持部材４は、図２に示されるように、コの字状の形状の各辺において略Ｌ字形の断面形状を有しており、Ｌ字形の断面の内側を向く二つの辺それぞれが属する二つの面において表示パネル３の第２面３ｓおよび側面と当接している。
【００２７】
表示パネル３は、図１におけるＸ方向（表示パネル３の長手方向）における正負両方向、および、Ｙ方向（表示パネル３の短辺方向）のうちの−Ｙ方向、ならびに、支持部材５から離間する方向（＋Ｚ方向）への動きを保持部材４によって制限される。従って表示パネル３は、保持部材４によって支持部材５の表面５ａの所定の位置に保持される。なお、表示パネル３は、使用時に−Ｙ方向を重力方向に向けられることによって、＋Ｙ方向への動きを重力によって制限され得る。
【００２８】
保持部材４は、図１の例と異なり、表示パネル３の全周にわたって設けられ、不連続部を含まない枠状の正面形状を有していてもよい。また、保持部材４は、矩形の形状を有する表示パネル３の二辺または一辺の縁部だけに設けられてもよく、従って、直線状の棒状材で形成されていてもよい。保持部材４は、支持部材５の表面５ａにおける表示パネル３の少なくとも一方向への動きを制限するものであればよい。さらに、枠状またはコの字状の正面形状を有する保持部材４は、その一辺の断面において、必ずしもＬ字形の形状を有していなくてもよく、表示パネル３に向けられる内側の壁面に溝を有するコの字形の断面形状を有していてもよい。その溝に表示パネル３の縁部が挿入され得る。或いは、保持部材４における表示パネル３に向けられる内側の壁面は凹凸の無い平面であってもよく、その場合、表示パネル３は、その壁面との間の摩擦力によって支持部材５から離間する方向の動きを制限されてもよい。
【００２９】
図１の例では、表示パネル３における第１端子群３１の近傍の縁部には保持部材４が設けられており、コの字状の形状の保持部材４の一辺が配線５１の上に重ねられている。しかし、たとえば、図１の例のように保持部材４が不連続部を有する場合、その不連続部が、表示パネル３における第１端子群３１の近傍の縁部と相対していてもよい。その場合、配線５１の上に保持部材４を重ねることなく、配線５１を短い経路で保持部材４の外側に引き出すことができる。従って、保持部材４による配線５１に対するストレスを無くすことができる。
【００３０】
また、図１の例のように表示パネル３が矩形の正面形状を有し、保持部材４が矩形の全体形状の一部に不連続部を有する枠体である場合、図３Ｂに例示されるように、その不連続部は、表示パネル３において第１端子群３１の近傍の縁部と向かい合っている縁部と相対していてもよい。すなわち、第１端子群３１を構成する各端子は、表示パネル３の任意の一辺（図３Ｂの例では右辺である第１辺３ｈ）に沿って配列されており、矩形状の枠体である保持部材４において表示パネル３の第１辺３ｈと当接する辺４１の対辺となるべき部分が不連続部となっている。図３Ｂの例のように不連続部を設けることによって、後述するように、既に支持部材５に接着された枠状の保持部材４の内部に不連続部を通して表示パネル３を挿入する際に、第１端子群３１と第２端子群５２とにおいて、互いに接続されない端子同士が無用に擦れ合わされることを防ぐことができる。従って、保持部材４への表示パネル３の着脱を繰り返しても、第１および第２の端子群３１、５２における各端子の摩耗を抑制することができ、適正な接続状態を維持させることができる。
【００３１】
保持部材４は、表示パネル３を保持することができる任意の材料で形成される。たとえば、エポキシ樹脂や汎用プラスチックなどの合成樹脂、天然ゴムなどの天然樹脂、およびゴムスポンジなどが、保持部材４の材料として例示される。保持部材４は、好ましくは、可撓性および／または適度な弾性を有する材料で形成される。その場合、表示パネル３と容易に係合させることができたり、気泡を巻き込まずに表示パネル３を支持部材５の上に載置できたりすることがある。また、保持部材４は、表示装置１を見る人の目に付き難い方が好ましいので、好ましくは透光性の材料を用いて形成される。これらの点から、保持部材４は透明シリコーンゴムを用いて形成されるのが、特に好ましい。
【００３２】
接着剤８１は、保持部材４を安定して支持部材５に接合できる接着強度を発現し得るものであれば、特に限定されない。任意のエポキシ系接着剤もしくはアクリル系接着剤、または、光学透明接着剤（ＯＣＡ）もしくは光学透明樹脂（ＯＣＲ）などと呼ばれる、フィルム状またはペースト状のアクリル系、シリコーン系、またはウレタン系などの任意の接着剤が用いられ得る。
【００３３】
第１端子群３１と第２端子群５２は、任意の導電性材料を用いて接続され得る。たとえばエポキシ系の導電性接着剤、または、はんだなどが用いられてもよい。しかし、第１端子群３１および第２端子群５２のいずれかを構成する各端子は、前述したように、数十μｍのピッチで設けられる。従って、図３Ａおよび図４に示されるように、第１端子群３１と第２端子群５２とを接続する接続手段８２には、好ましくは異方性導電フィルム（ＡＣＦ）が用いられる。なお、図４には、図１に示されるIV−IV線での断面の一部が拡大して示されている。
【００３４】
ＡＣＦは、たとえばエポキシ樹脂、または、透明なアクリル樹脂もしくはシリコーン樹脂などによって構成される熱硬化性樹脂部８２ａと、熱硬化性樹脂部８２ａに混合された導電性粒子８２ｂとを含んでいる。加熱および加圧されることによって熱硬化性樹脂部８２ａが一旦軟化後に本硬化し、導電性粒子８２ｂと共に接続手段８２を構成する。導電性粒子８２ｂは、図示されていないが、ニッケルおよび金などによって導電性粒子８２ｂの中心部を構成する金属層と、金属層を覆う絶縁層とを含んでいる。第１端子群３１と第２端子群５２との間に挟みこまれた状態でＡＣＦが加熱および加圧されることによって、導電性粒子８２ｂにおいて絶縁層を破壊して、金属層同士、または、金属層と各端子とが接触し、第１端子群３１と第２端子群５２との間に図４におけるＺ方向の導電経路が形成される。一方、これらの端子群を構成する各端子に対向していない熱硬化性樹脂部８２ａ内の導電性粒子８２ｂには十分な圧力が加わらないため、その絶遠層が維持され、図４のＹ方向における各端子間の絶縁性は維持される。その結果、狭ピッチで形成された第１端子群３１の各端子と第２端子群５２の各端子とが適切に電気的に接続される。
【００３５】
再度、図２を参照すると、表示パネル３における支持部材５に向けられるべき表面（第第１面３ｆ）に、光の伝搬に関して所定の機能を有する光学的機能層６１が形成されている。光学的機能層６１としては、紫外線吸収層、および赤外線反射層が例示される。表示パネル３の第１面３ｆには、紫外線吸収層および赤外線反射層のいずれかまたは両方が形成されていてもよい。前述したように、支持部材５は、自動車のフロントガラスなどであってもよく、その場合、表示パネル３の第１面３ｆは、支持部材５を透過した日光に照らされる。しかし、たとえば赤外線反射層を第１面３ｆに設けることによって、日光の照射による表示パネル３の温度上昇を抑制することができ、従って表示パネル３の劣化を防ぐことができる。光学的機能層６１が赤外線反射層を含んでいる場合、光学的機能層６１は、互いに異なる屈折率を有する材料が交互に積層された多層体を含んでいてもよい。異なる屈折率を有する材料、たとえば、酸化チタン（ＴｉＯ2）と二酸化ケイ素（ＳｉＯ2）、または、硫化亜鉛（ＺｎＳ）とフッ化マグネシウム（ＭｇＦ2）などでそれぞれ形成される層は、各層の界面における赤外線領域の反射光同士が互いに強め合うような厚さで形成される。
【００３６】
また、表示パネル３が有機ＥＬ表示パネルである場合、表示パネル３内の有機素子（図示せず）は日光に含まれる紫外線によってストレスを受けるおそれがある。しかし、光学的機能層６１として紫外線吸収層を設けることによって、紫外線による有機素子へのストレスを軽減することができる。紫外線吸収層は、紫外線吸収剤が添加された樹脂、たとえば、ポリカーボネート樹脂またはアクリル樹脂などによって形成される。紫外線吸収剤としては、ベンゾフェノン誘導体、サリチル酸エステル誘導体、トリアゾール誘導体またはアクリル誘導体などが例示される。
【００３７】
図２において二点鎖線で示されているように、支持部材５における表面５ａと反対の面に、赤外線反射層および／または紫外線吸収層を含む光学的機能層６１ａが設けられてもよい。光学的機能層６１ａが支持部材５に設けられると、欠陥などが生じて表示パネル３が交換される場合でも光学的機能層６１ａを継続して使用することができる。一方、表示パネル３に光学的機能層６１が設けられると、光学的機能層６１の機能劣化が表示パネル３の経時的劣化と共に進行する場合に、表示パネル３を交換することによって光学的機能層６１も交換することができる。なお、表示パネル３および支持部材５それぞれに光学的機能層６１、６１ａが設けられてもよい。
【００３８】
図２の例では、さらに、表示パネル３の画素形成領域３ｃの表面、すなわち、表示パネル３の表示面に機械的ストレスに対する保護膜６２が形成されている。画素形成領域３ｃの表面は、表示装置１を見る人などの方に向って露出しており、そのため、外来物の衝突または汚損時の拭き取り作業などによって機械的ストレスを受け易い。保護膜６２は、このような機械的ストレスから表示パネル３、特に画素形成領域３ｃ内の画素を保護する。保護膜６２としては、たとえば、ＳｉＯ2膜またはフッ素膜などの無機膜、ならびにポリエステルまたはポリエチレンテレフタレレート（ＰＥＴ）などから形成される有機樹脂フィルムが例示される。
【００３９】
図１〜図４の例では、図２および図３Ａに示されるように表示パネル３の駆動素子３９はスルーホール導体３ｄを介して、第１端子群３１を構成する各端子に接続されている。しかし、複数の駆動素子３９は、図５Ａに示されるように、表示パネル３の側面を通る複数の中継配線３ｇを介して第１端子群３１に電気的に接続されていてもよい。そうすることで、スルーホール導体３ｄの形成を省略することができる。なお、図５Ａは、図１におけるII−II線での断面に相当する断面における表示パネル３および中継配線３ｇを示している。複数の中継配線３ｇは、表示パネル３における支持部材５に向けられるべき表面（第１面３ｆ）から表示パネル３の側面上を通って、第１面３ｆの反対面（第２面３ｓ）へと延びている。表示パネル３は、このように、導電性材料を用いて表示パネル３と別個に形成され、表示パネル３に貼り付けられた、並列する複数の中継配線３ｇを備えていてもよい。
【００４０】
中継配線３ｇは、銅、アルミニウムまたはニッケルなどの任意の金属材料で形成され得る。中継配線３ｇは、エポキシ系接着剤などの任意の接着剤を用いて、表示パネル３に接着される。なお、図５Ａの例では、中継配線３ｇにおける表示パネル３の第１面３ｆ側の端部が、第１端子群３１を構成する各端子も構成している。このように中継配線３ｇと一体的に第１端子群３１を形成することによって、表示パネル３の第１面３ｆに何らかの導電体を設ける工程そのものを省略できることがある。しかし、図５Ａの例と異なり、第１面３ｆ上に直接形成された第１端子群３１を構成する各端子と中継配線３ｇとが第１面３ｆにおいて接続されていてもよい。
【００４１】
図５Ｂには、複数の中継配線３ｇの一例が示されている。図５Ｂの例では、複数の中継配線３ｇのそれぞれは、絶縁部３ｇ１によって連結され、配線板３ｇ０を構成している。配線板３ｇ０は、図５Ｂに二点鎖線で示される二つの折り曲げ線Ｌで折り曲げられ、表示パネル３に接着される。中継配線３ｇと、表示パネル３の配線３ｂ（図５Ａ参照）および第１端子群３１の各端子との接続には、はんだまたは導電性接着剤などが用いられてもよく、前述したＡＣＦが用いられてもよい。絶縁部３ｇ１は、たとえば、ポリイミド樹脂またはエポキシ樹脂などによって形成され得る。図５Ｂに示される配線板３ｇ０は、たとえば次の手順で形成され得る。まず、銅箔などをエッチングすることによってタイバーなどで連結された並列状態で形成された複数の中継配線３ｇが用意される。その並列状態の複数の中継配線３ｇにＢステージ状態のエポキシ樹脂が塗布または積層される。その後、加熱硬化されたエポキシ樹脂の不要部分を研磨などで除去して中継配線３ｇを露出させることによって配線板３ｇ０が形成され得る。または、ポリイミドフィルムなどの表面に適切な開口を備えてマスキングが施され、その開口内に、無電解めっきなどによってめっき膜が形成されることによって配線板３ｇ０が形成されてもよい。
【００４２】
先に参照した図１〜図４の例では、配線５１および第２端子群５２は、支持部材５の表面５ａに直接形成されている。しかし、前述したように、支持部材５は、自動車の窓ガラスなど、表示パネル３に対して非常に大きな部材によって構成されることがあり、その場合、そのような大型の支持部材５に配線５１を形成することは容易でないことがある。従って、配線５１および第２端子群５２は、図６に示されるように支持部材５と別個の基材５０に形成され、基材５０が支持部材５の表面５ａに接着されてもよい。そうすることで、支持部材５に形成するよりも容易に配線５１などを形成することができることがある。配線５１および第２端子群５２は、たとえば、基材５０に積層された銅などからなる金属箔をエッチングなどでパターニングすることによって形成される。配線５１などは、基材５０に適切なマスキングを施したうえで、無電解めっき、スパッタリング、または蒸着などを行うことによって形成されてもよい。
【００４３】
基材５０は、任意の絶縁性材料を用いて形成された板状体または膜状体などであり、たとえば、主にエポキシ樹脂によって形成される基板、またはポリイミドフィルムなどであってもよい。支持部材５が自動車のフロントガラスのようにガラス板である場合、透光性が維持されるように、基材５０は透明ポリイミドフィルムであることが好ましい。基材５０は、たとえば、接着剤を用いて支持部材５に接着される。この接着剤としては任意の接着剤が用いられ得るが、支持部材５および基材５０が透光性を有している場合、前述したＯＣＡなどが、この接着剤として好ましい。
【００４４】
表示パネル３を構成する表示素子、特に有機ＥＬ表示パネルにおいて発光層を形成する有機素子は、水分との接触によって劣化が進行し易い。また、第１端子群３１と第２端子群５２との接続部が湿気に晒されると、隣接する端子間でイオンマイグレーションなどによって短絡不良が生じるおそれがある。そのため、表示パネル３を囲む保持部材４の内部に水分が入り込まないように、先に参照した図３Ａおよび図７Ａに示されるように、表示パネル３と保持部材４との界面が封止部材７によって覆われることが好ましい。そうすることによって、表示パネル３と保持部材４とのすきまが封止部材７によって覆われ、その結果、表示パネル３と保持部材４との界面からの水分の浸入が防止される。封止部材７は、たとえば、表示パネル３と保持部材４との界面に塗布などにより供給された、エポキシ樹脂、アクリル樹脂、またはシリコーン樹脂などの固化物である。また、封止部材７は、エポキシ樹脂、アクリル樹脂、もしくはシリコーン樹脂を用いて成膜された有機膜、または、アルミニウムもしくは窒化ケイ素を用いて成膜された無機膜であってもよい。
【００４５】
図７Ａの例では、保持部材４は図１の例と同様に不連続部を有しており、従って、保持部材４は表示パネル３の縁部と部分的に当接している。そのため、保持部材４と表示パネル３との界面が封止部材７に覆われても、保持部材４と当接していない表示パネル３の縁部から、表示パネル３と支持部材５との間に水分が侵入し得る。そこで、図７Ａおよび図７Ｂに示されるように、表示パネル３の縁部における保持部材４と当接していない部分と支持部材５とのすきまが、封止部材７を用いて覆われていることが好ましい。図７Ｂは、図７ＡのVIIＢ−VIIＢ線での断面の拡大図である。図７Ａに示されるように、封止部材７が表示パネル３の縁部に沿って、かつ、表示パネル３の全周にわたって枠状に形成されている。この結果、表示パネル３と支持部材５との間の空間がほぼ密封される。表示パネル３における保持部材４との非当接部分と支持部材５とのすきまを覆う封止部材７は、前述した、塗布されたエポキシ樹脂などの固化物、エポキシ樹脂などを用いて成膜された有機膜、または窒化ケイ素などを用いて成膜された無機膜などであってよい。なお、表示パネル３の周縁部だけに設けられている封止部材７を適切な溶剤を用いて溶解させるなどの方法によって、表示パネル３を必要に応じて支持部材５から取り外すことができる。少なくとも、表示パネル３が全面的に支持部材５に接着されている場合と比べて容易に表示パネル３を支持部材５から取り外すことができる。
【００４６】
図７Ａに示されるように表示パネル３と支持部材５との間の空間が保持部材４および封止部材７によってほぼ密封されることによって、表示装置１の外部からの水分の浸入は高い確率で防止される。しかし、封止部材７が設けられる前から表示パネル３と支持部材５との間に存在している空気中の水分に表示パネル３の第１面３ｆが晒されることを防ぐために、表示パネル３と支持部材５との間の空間の空気が排出されることが好ましい。図８には、そのような空気の排出に適した表示装置１の例が、先に参照した図３Ａに相当する断面図で示されている。すなわち、表示装置１の外部から表示パネル３と支持部材５との間の空間Ｓに通じる貫通孔４ａが保持部材４に設けられており、貫通孔４ａを塞ぐ閉塞部材４ｂが貫通孔４ａに備えられている。貫通孔４ａの内径は、たとえば、０．５ｍｍ以上、１．０ｍｍ以下である。図８に示される表示装置１では、封止部材７が形成された後、貫通孔４ａを通じて空間Ｓの空気が吸い出され、それにより空間Ｓがほぼ真空状態にされるか、少なくとも空間Ｓ内の水分が減らされる。その結果、空間Ｓ内の水分の影響による表示パネル３の劣化を抑制することができる。また、表示パネル３と支持部材５の表面５ａとの界面への気泡の巻き込みを防ぐことができる。
【００４７】
図８の例では、貫通孔４ａは、保持部材４の上面（支持部材５に向けられる面の反対面）および保持部材４の内壁面に開口を有しており、Ｌ字状の断面形状を有している。保持部材４は、閉塞部材４ｂを、貫通孔４ａにおける保持部材４の上面付近に備えている。なお、貫通孔４ａは、保持部材４の外壁面と内壁面との間で保持部材４を貫通するものであってもよい。また、図８に示されるＬ字状の貫通孔の横穴部分は、保持部材４における支持部材５に向けられる面に設けられた溝であってもよい。
【００４８】
図８の例では、閉塞部材４ｂは、閉塞部材４ｂを貫く通気路４ｃを有する弾性体であり、貫通孔４ａの内部に圧入されている。閉塞部材４ｂは、たとえば、天然ゴム、ブタジエンゴムなどの合成ゴム、またはシリコーンゴムなどによって形成され得る。通気路４ｃは、閉塞部材４ｂが貫通孔４ａ内に圧入されることによって通常は周囲の閉塞部材４ｂで塞がれている。空間Ｓの内部の空気が排出されるときは、中空針などの細身の管材（図示せず）が、周囲の閉塞部材４ｂの内壁を押し退けながら通気路４ｃに挿入される。そして、図示されないポンプなどを用いて、通気路４ｃに挿入された管材を介して空間Ｓの内部の空気が排出される。なお、図８に示される閉塞部材４ｂは単なる一例に過ぎず、閉塞部材４ｂは、図８に示される例と異なる構造を有していてもよい。たとえば、閉塞部材４ｂは、貫通孔４ａの開口への着脱が可能なように用意された蓋材であってもよい。また、閉塞部材４ｂは、貫通孔４ａの内部に配置され、負圧状態にされた空間Ｓに引かれた際に、貫通孔４ａの内壁に設けられた段差部分に当接することによって貫通孔４ａを閉塞する逆止弁であってもよい。
【００４９】
先に参照した各図面に示される例では、表示パネル３は、第２面３ｓ、すなわち、表示装置１を見る人に向けられる面に画素形成領域３ｃを有している。すなわち、表示パネル３が有機ＥＬ表示装置である場合、各図面に例示される表示パネル３はトップエミッション型の有機ＥＬ表示パネルである。しかし、表示パネル３は、ボトムエミッション型の有機ＥＬ表示パネルであってもよく、図９には、その一例が示されている。
【００５０】
図９に示されるように、表示パネル３は、支持部材５に向けられる表面（第１面３ｆ）に画素形成領域３ｃを有している。そして、第１面３ｆ（具体的には画素形成領域３ｃの表面）に、光学的機能層６１が形成されている、図９に示される光学的機能層６１として、図２を参照して前述した光学的機能層６１と同様に、たとえば、紫外線吸収層および赤外線反射層のいずれかまたは両方が形成されていてもよい。図９の例では、画素形成領域３ｃは、支持部材５に面している。従って、支持部材５が自動車のフロントガラスなどである場合、画素形成領域３ｃ内の有機素子（図示せず）は、図２の例と異なり、表示パネル３を構成する基板３ｅを通さずに紫外線および赤外線を含む日光に照らされる。そのため、図９の例において表示パネル３の第１面３ｆに光学的機能層６１を設けることは、特に有益である。なお、図９の例のように、表示パネル３がボトムエミッション型の有機ＥＬ表示パネルの場合にも、表示パネル３の第１面３ｆに設けられる光学的機能層６１に加えて、または、光学的機能層６１の代わりに、支持部材５に光学的機能層６１ａが形成されてもよい。また、図示されていないが、表示パネル３の第２面３ｓに、機械的ストレスに対する保護膜が形成されてもよい。
【００５１】
図９の例では、表示パネル３は、支持部材５に向けられるべき表面（第１面３ｆ）に画素形成領域３ｃによって生じる段差を有している。図９の例では、この段差の高さに応じた厚さを有する補助部材９が、支持部材５と表示パネル３との間において画素形成領域３ｃの周囲に設けられている。補助部材９によって、表示パネル３が安定して支持部材５の表面５ａ上に保持される。また、表示パネル３から光が放射される第２面３ｓが支持部材５の表面５ａとほぼ平行に位置付けられる。
【００５２】
補助部材９は、画素形成領域３ｃの周囲全周にわたって連続的に設けられてもよく、矩形の正面形状を有する画素形成領域３ｃの辺それぞれに沿った帯状の形状で不連続に設けられてもよい。或いは、柱状の形状を有する任意の数の補助部材９が、画素形成領域３ｃの周囲に規則的にもしくはランダムに点在していてもよい。補助部材９の厚さは、画素形成領域３ｃによる段差の高さにほぼ相当する厚さであってもよく、この段差に相当する厚さよりも厚くてもよい。また補助部材９は任意の材料で形成され得るが、好ましくは、補助部材９は、保持部材４を形成する材料と同じ材料、少なくともほぼ同じ熱膨張率を有する材料で形成される。そうすることで、周囲温度が変化する際に表示パネル３に加わり得るストレスを少なくすることができる。
【００５３】
図１０には、本実施形態において、支持部材５が自動車のフロントガラスである例が示されている。すなわち、表示パネル３は、保持部材４によって、支持部材５であるフロントガラスの車室に面する表面上に保持されている。表示パネル３には、ナビゲーションシステムによる画像が表示されている。なお、表示パネル３は、支持部材５であるフロントガラスの任意の位置に保持され得る。たとえばフロントガラスの全幅に相当する横幅を有する表示パネル３が、フロントガラスの上縁部付近や下縁部付近に車幅方向の全体に渡って保持されていてもよい。上縁部付近の場合は、前述したように自動車の前後方向に垂直な平面へのフロントガラスの投影像において上部２０％以内の範囲に保持されることが好ましく、下縁部付近の場合は下端から１５０ｍｍ以内の範囲に保持されることが好ましい。そうすることで、前方の十分な視界が確保され、安全な運行に寄与することができる。
【００５４】
図１０の例では、フロントガラス（支持部材５）に形成された配線５１は、フロントガラスの上縁に向って延びている。車室の天井部における内装と自動車のルーフとの間には駆動信号を生成するドライバＤが配置されており、配線５１は、フロントガラスの上縁において、ドライバＤに接続された導電線Ｗと接続されている。このように表示装置１を自動車の車室内に設けた場合、表示パネル３とドライバＤとを接続する配線５１を、自動車の振動によって搖動しない状態で、しかも、フロントガラスの表面に沿って配置することができる。車室内の人にすっきりとした印象を与えることができると考えられる。
【００５５】
図１１には、本実施形態において表示パネル３として用いられる、トップエミッション型の有機ＥＬ表示パネルの断面構造の一例が示されている。図１１に示されるように、表示パネル３は、基板３ｅと、基板３ｅの上に形成された複数の表示素子３０とを備えている。基板３ｅは、たとえばポリイミド樹脂、好ましくは透明ポリイミド樹脂を用いて形成された樹脂フィルム、またはガラス板などである。各表示素子３０は、前述した駆動素子３９として機能する薄膜トランジスタ（ＴＦＴ）と、ＴＦＴに接続された第１電極３３と、第１電極３３上に蒸着された有機材料によって形成されていて光を発する有機層３４と、有機層３４の上に形成された第２電極３５と、を有している。各表示素子３０は、ＳｉＯ2などを用いて形成されたバンク３６によって分離されている。第１電極３３およびバンク３６は、ＴＦＴを覆う平坦化膜３２の上に形成されている。ＴＦＴ、第１および第２の電極３３、３５、有機層３４、バンク３６および平坦化膜３２は、これらについての一般的な構造及び材料を有し得るため、その詳しい説明は省略される。
【００５６】
図１１に示される例において表示パネル３は、表示素子３０と基板３ｅとの間に第１バリア膜３７を備え、表示素子３０の上には第２バリア膜３８を備えている。第１バリア膜３７および第２バリア膜３８は、非透湿性の材料を用いて形成され、その水蒸気透過度は、たとえば、１×１０-4ｇ／ｍ2／日以下である。図１１の例では、第１バリア膜３７は、二つの窒化ケイ素膜３７ａと、二つの窒化ケイ素膜３７ａに挟まれている酸化ケイ素膜３７ｂとを含む多層膜である。また、第２バリア膜３８は、二つの窒化ケイ素膜３８ａ、二つの酸化ケイ素膜３８ｂ、および有機膜３８ｃを含む５層構造を有している。有機膜３８ｃは、たとえば、エポキシ樹脂などを用いて形成される。酸化ケイ素膜３８ｂおよび有機膜３８ｃは必ずしも形成されなくてもよく、窒化ケイ素膜３８ａに代えて、成膜速度の速い酸窒化ケイ素膜が設けられていてもよい。第１および第２のバリア膜３７、３８は、いずれも単層膜であってもよく、図１１に示される例の層数以外の層数を有する多層膜であってもよく、窒化ケイ素および酸化ケイ素以外の材料を用いて形成されていてもよい。
【００５７】
図示されていないが、表示パネル３は、前述したように、液晶表示パネルであってもよい。表示装置１において表示パネル３として用いられる液晶表示パネルは、画素電極および対向電極、配向膜、偏光板、ならびに液晶層などを含む一般的な液晶表示パネルの構造および材料を有し得るため、その詳しい説明は省略される。
【００５８】
［表示装置の製造方法］
つぎに、実施形態２の表示装置の製造方法について、図面を参照して説明する。図１２には、前述した説明で参照した図１〜図４に示される表示装置１を例に、本実施形態の表示装置の製造方法の概要が示されている。本実施形態の表示装置の製造方法は、画素３（図１参照）および画素３を駆動する複数の駆動素子３９（図１参照）ならびに複数の駆動素子３９に電気的に接続された第１端子群３１を含む表示パネル３を形成し、表示パネル３が載置されるべき表面５ａを有する支持部材５の表面５ａに複数の配線５１および複数の配線５１に接続された第２端子群５２を形成することを含んでいる。本実施形態の表示装置の製造方法は、さらに、直線状または屈曲した形状（図１２の例では屈曲した形状）の棒状材４０を支持部材５の表面５ａに接着することによって、表示パネル３を表面５ａに保持する保持部材４を設け、保持部材４を構成する棒状材に表示パネル３の縁部の少なくとも一部を当接させ、表示パネル３を支持部材５の表面５ａに載置する、ことを含んでいる。そして、支持部材５の表面５ａへの表示パネル３の載置において、第１端子群３１を表面５ａに向けて表示パネル３を表面５ａに載置し、第１端子群３１を構成する各端子と第２端子群５２を構成する各端子とを接続する、ことを含んでいる。以下、さらに詳細に説明する。
【００５９】
まず、表示パネル３の形成について図１１および図１２を参照して説明する。表示パネル３として、有機ＥＬ表示パネルまたは液晶表示パネルなどが形成される。表示パネル３として有機ＥＬ表示パネルが形成される場合、たとえば、ポリイミドフィルムまたはガラス板などで構成された基板３ｅが用意され、支持部材５に向けられる面（第１面３ｆ）に第１端子群３１が形成される。また、第１面３ｆと反対の面（第２面３ｓ）に駆動素子３９と第１端子群３１とを電気的に接続する配線３ｂが形成されると共に、配線３ｂと第１端子群３１とを接続するスルーホール導体３ｄが形成される。
【００６０】
第１端子群３１および配線３ｂは、たとえば、第１面３ｆおよび第２面３ｓに適切な開口を備えるマスク層を形成したうえで、銅またはニッケルなどの材料を用いて、スパッタリング法、蒸着法またはめっき法などによって形成される。好ましくは、第１端子群３１の表面には、めっきなどによって金の被覆層がさらに形成される。スルーホール導体３ｄは、フォトリソグラフィと組み合わせたエッチングや、ＣＯ2レーザー光もしくはＹＡＧレーザー光の照射などによって基板３ｅに形成された貫通孔をスパッタリング法、蒸着法、またはめっき法などを用いて銅またはニッケルなどで充填することによって形成される。スルーホール導体３ｄは、好ましくは、第１端子群３１の下地層および配線３ｂのいずれかまたは両方と同時に形成される。なお、前述した中継配線３ｇが用いられる場合は、スルーホール導体３ｄおよび第１端子群３１は必ずしも形成されなくてもよい。また、先に参照した図９に示されるボトムエミッション型の有機ＥＬ表示パネルが表示パネル３として形成される場合も、スルーホール導体３ｄは形成されなくてもよい。なお、中継配線３ｄの形成方法の例は、図５Ｂを参照して既に説明されているので、再度の説明は省略される。
【００６１】
基板３ｅに、さらに、駆動素子３９として機能する複数のＴＦＴ、および有機層３４などを含む有機ＥＬ表示素子（表示素子３０）が形成される。ＴＦＴは、少なくともそのゲート端子が第１端子群３１を構成する端子のいずれかと電気的に接続されるように形成される。有機層３４は、バンク３６に囲まれた第１電極３３上に形成される。さらに有機層３４の上に第２電極３５を形成することによって複数の画素３ａが形成される。また、好ましくは、基板３ｅと表示素子３０との間に、非透湿性の材料を用いて第１バリア膜３７（図１１の例では、酸化ケイ素膜３７ｂおよび酸化ケイ素膜３７ｂの上下両側における各窒化ケイ素膜３７ａ）が形成される。窒化ケイ素膜３７ａおよび酸化ケイ素膜３７ｂは、たとえば、プラズマ励起化学気相成長（ＰＥＣＶＤ）法やスパッタリング法などによって形成される。
【００６２】
表示素子３０の形成後、好ましくは、表示素子３０の上に、非透湿性の材料を用いて第２バリア膜３８が形成される。図１１の例では、表示素子３０の上に、順に、窒化ケイ素膜３８ａ、酸化ケイ素膜３８ｂ、さらに有機膜３８ｃが形成され、再度、酸化ケイ素膜３８ｂおよび窒化ケイ素膜３８ａが形成されている。窒化ケイ素膜３８ａおよび酸化ケイ素膜３８ｂは、たとえば、ＰＥＣＶＤ法またはスパッタリング法などによって形成される。有機膜３８ｃは、たとえば、インクジェットプリンタを用いてアクリル樹脂やエポキシ樹脂を印刷することによって形成される。
【００６３】
駆動素子３９を構成するＴＦＴ、第１および第２の電極３３、３５、ならびに有機層３４は、周知の方法を含む任意の方法で形成され得るため、その詳細な説明は省略する。また、表示パネル３として液晶表示パネルが形成される場合も、液晶表示素子を構成する各電極や配向膜、偏光板ならびに液晶層は周知の方法を含む任意の方法で形成され得る。従って、その詳細な説明は省略する。
【００６４】
なお、表示パネル３の形成は、ガラス板などで構成されるダミー板（図示せず）上で行われてもよく、表示パネル３は、その完成後にダミー板と分離されてもよい。そして、表示パネル３におけるダミー板から剥離された面には、銅箔またはＰＥＴフィルムなどにより構成される補強膜（図示せず）が貼り付けられてもよい。その場合、この補強膜の貼り付けの前に、好ましくは、先に参照した図２における光学的機能層６１が形成される。
【００６５】
光学的機能層６１として、たとえば、赤外線反射機能または紫外線吸収機能を有する光学的機能膜が用意され、この膜が、前述したＯＣＡなどの光学透明接着剤を用いて表示パネル３に接着されてもよい。しかし、光学的機能層６１は、表示パネル３に直接形成されてもよい。たとえば、スパッタリング法、真空蒸着法、または、ＰＥＣＶＤ法などが用いられる。好ましくは、これらの方法のいずれかを用いて、前述したフッ化マグネシウムなどを含む多層膜などを成膜することによって、光学的機能層６１が形成される。なお、先に参照した図９の例に示される光学的機能層６１は、表示パネル３が支持部材５の表面５ａに載置される前の任意の工程で、スパッタリング法、真空蒸着法、またはＰＥＣＶＤ法などを用いて形成され得る。
【００６６】
また、図２の例に示される保護膜６２は、表示素子３０の形成後の任意の時点で、好ましくは表示パネル３が支持部材５に載置される前に形成される。保護膜６２の形成は、たとえば、フッ素樹脂のコーティング、または、ＰＥＣＶＤ、塗布もしくはスパッタリングなどによるＳｉＯ2を含む膜の形成などによって行われる。保護膜６２は、別途形成された膜の貼付によって形成されてもよい。
【００６７】
表示パネル３が載置されるべき表面５ａを有する支持部材５が用意され、配線５１および第２端子群５２が表面５ａに形成される。ガラス、金属、および合成樹脂などの任意の材料が、支持部材５に用いられ得る。支持部材５は、これらの材料を任意の方法で加工することによって用意されてもよく、既存の物品が支持部材５として用意されてもよい。前述したように、たとえば、各種機器の筐体、住居の窓もしくは展示用ケースなどに用いられるガラス板、または、自動車のフロントガラスなどが支持部材５として用意されてもよい。
【００６８】
配線５１および第２端子群５２は、たとえば、銀などを含む導電性ペーストを用いたスクリーン印刷およびその後の１００℃〜２００℃程度の雰囲気中での５〜１５分程度の焼成および乾燥、または、銅、チタン、アルミニウム、ＩＴＯもしくはＩＺＯなどを用いたスパッタリングもしくは蒸着などによって形成される。好ましくは、配線５１と、第２端子群５２の下地層は、同時に、かつ、一体的に形成され、さらに第２端子群５２の下地層の上（表面）にはめっきによる金の被覆層が形成される。また、先に参照した図６に示される別個の基材５０に、金属箔のエッチングまたは無電解めっきなどで配線５１が形成され、基材５０が、好ましくはＯＣＡなどを用いて支持部材５に接着されてもよい。
【００６９】
図１２には示されていないが、先に参照した図２に二点鎖線で示される光学的機能層６１ａは、支持部材５の用意において形成されてもよく、配線５１などの形成後に形成されてもよく、表示パネル３の支持部材５への載置の後に形成されてもよい。光学的機能層６１ａは、たとえば、先に説明された光学的機能層６１の形成方法と同じ方法で形成され得る。
【００７０】
棒状材４０が、合成樹脂または天然樹脂などの材料を適切に加工することによって用意され、棒状材４０を支持部材５の表面５ａに接着することによって保持部材４が設けられる。棒状材４０は、直線状または屈曲した形状を有するように、適切に製作された金型を用いた成型加工もしくはプレス加工、または切削加工などによって形成される。保持部材４は、図１２の例では、枠状の平面形状における一辺に不連続部を有する、所謂コの字状の形状を有しているが、保持部材４は、不連続部を有さない枠体であってもよい。また、棒状材４０には、前述した貫通孔４ａ（図８参照）が形成されてもよい。棒状材４０の形成に用いる金型などを適切に製作することによって、所望の任意の形状を有し、貫通孔４ａを有する保持部材４が形成され得る。貫通孔４ａが形成される場合、任意のゴムなどによって形成された栓の貫通孔４ａ内への圧入、または貫通孔４ａ内への逆止弁の設置などによって閉塞部材４ｂが設けられる。
【００７１】
コの字状の保持部材４は、表示パネル３の適正な載置位置を囲むような位置に配置される。図示されていないが、棒状材４０における支持部材５に向けられる面に、一つ、好ましくは二つ以上の突起もしくは凹みが設けられ、支持部材５の表面５ａにおける、この突起もしくは凹みに対応する位置に凹みまたは突起が形成されてもよい。そして、この一対、好ましくは二対以上の突起および凹みを結合させることによって保持部材４の位置決めが行われてもよい。保持部材４は、図１２では、接着剤８１を用いて支持部材５の表面５ａに接着される。必要な場合は、接着剤８１の硬化のために加熱処理が行われる。接着剤８１は、保持部材４の接合面および表面５ａのいずれかまたは両方に塗布されてもよく、図１２に示されるように、枠状のシートの形態に成型されたうえで、保持部材４と支持部材５との間に置かれてもよい。
【００７２】
表示パネル３の縁部の少なくとも一部と保持部材４が係合される。図１２の例では、矩形の平面形状を有する表示パネル３の三つの辺が保持部材４と係合されている。また、図１２の例では、表示パネル３は、コの字状の保持部材４の不連続部分から保持部材４のコの字形状の内部へと動かされ、それに伴って、表示パネル３の三つの辺が、保持部材４におけるコの字状の形状の内側を向く壁面と当接すると共に係合する。
【００７３】
表示パネル３は、第１端子群３１を支持部材５の表面５ａに向けて、表面５ａに載置される。表示パネル３は、第１端子群３１を構成する各端子と、支持部材５の表面５ａ上に形成されている第２端子群５２を構成する各端子とが対向する位置に載置される。そして、第１端子群３１を構成する各端子と、第２端子群５２を構成する各端子とが、前述したＡＣＦなどを用いて接続される。
【００７４】
図１２では、支持部材５の表面５ａ上に接着されている保持部材４のコの字の形状の内部に挿入されることによって表示パネル３が保持部材４と係合され、その挿入の終了と共に、表面５ａ上の所定の位置に表示パネル３が載置される。しかし、表示パネル３は、支持部材５に接着される前の保持部材４（棒状材４０）と係合されてもよく、棒状材４０と共に支持部材５に載置されてもよい。たとえば不連続部を有さない枠状の保持部材４においては、保持部材４を支持部材５に接着した後に、枠状の保持部材４の内部に表示パネル３をはめ込むことは困難である。従って、表示パネル３と保持部材４は、支持部材５への保持部材の接着の前に、表示パネル３の厚さ方向において両者を重ね合わせるようにして係合される。また、保持部材４の支持部材５への接着よりも先に表示パネル３が支持部材５に載置され、その後、保持部材４が支持部材５に接着されると共に、表示パネル３と係合されてもよい。
【００７５】
図１３には、ＡＣＦを用いた、第１端子群３１を構成する各端子と第２端子群５２を構成する各端子との接続工程の一例が示されている。この二つの端子群における各端子の接続は、図１３に示されるようなＡＣＦを用いた方法に限定されない。しかし、狭ピッチで配置されている各端子を、短絡不良を抑制しながら、対向する端子群の各端子と適切に接続し得るという点で、ＡＣＦを用いる方法は好ましい。図１３に示されるように、第１端子群３１と第２端子群５２との間に、両者の接続手段８２としてＡＣＦが配置される。第１端子群３１と第２端子群５２は、ＡＣＦを挟んだ状態で互いに向かって加圧されると共に加熱される。たとえば、２ＭＰａ〜４ＭＰａ程度の圧力、および、１７０℃〜２００℃程度の温度で５秒〜１５秒程度、加圧および加熱が行われる。
【００７６】
図１３では、図示されないステージ上に置かれた支持部材５に向かって、ヒーターブロックＨによって表示パネル３が押圧される。ヒーターブロックＨは、第１端子群３１および第２端子群５２における各端子の配列方向の全長よりも長い幅（第１および第２の端子群３１、５２における各端子の配列方向と平行な方向におけるヒーターブロックＨの長さ）Ｗｈを有していることが好ましい。表示パネル３と支持部材５との間でＡＣＦが加圧されることによって、ＡＣＦの厚さ方向において、隣接する導電性粒子８２ｂ同士が接触し、または導電性粒子８２ｂと各端子とが接触する。その結果、第１端子群３１および第２端子群５２において対向する端子同士が電気的に接続される。一方、各端子の配列方向に隣接する端子同士は接続されない。
【００７７】
また、熱硬化性樹脂部８２ａは、加熱されることによって一旦軟化し、各端子の配列方向において隣接する端子間に入り込み、その後硬化する。対向する端子同士の電気的な接続状態が維持されると共に、各端子間の配列方向において隣接する端子同士が確実に絶縁される。なお、ヒーターブロックＨの代わりに、ヒーター付きの加圧ローラー（図示せず）が用いられ、第１端子群３１および第２端子群５２を構成する各端子が、各端子群の端子の配列方向において順に加圧および加熱されてもよい。以上の工程を経ることによって、図１〜図４に示される表示装置１が完成する。表示パネル３と支持部材５とは、第１端子群３１および第２端子群５２およびそれらの周囲においてのみ接着される。従って、ＡＣＦなどの接続手段８２を、溶剤などを用いて溶解させるかまたは機械的に破断させることによって、比較的容易に表示パネル３を支持部材５から取り外すことができる。
【００７８】
本実施形態の表示装置の製造方法は、さらに、先に参照した図２および図７Ａに示されるように、表示パネル３と保持部材４とのすきまに樹脂を供給すること、または有機膜もしくは無機膜を被せることによって、表示パネル３と保持部材４とのすきまを覆うことをさらに含んでいてもよい。さらに、本実施形態の表示装置の製造方法は、図７Ａおよび図７Ｂに示されるように、表示パネル３の縁部における保持部材４と当接していない部分と支持部材３とのすきまを覆う封止部材７を設けることを含んでいてもよい。封止部材７は、任意の方法で設けられ得るが、たとえば、このすきまに樹脂を供給すること、またはこのすきまに有機膜もしくは無機膜を被せることによって封止部材７が設けられる。
【００７９】
図１２には、図７Ａなどに示される封止部材７となり得る枠状の形状を有するフィルム状部材７１が示されている。図１２の例では、フィルム状部材７１によって表示パネル３と保持部材４とのすきまが覆われ、また、表示パネル３の縁部における保持部材４と当接していない部分と支持部材３とのすきまが覆われると共に、それらのすきまを覆う封止部材７が設けられる。すなわち、図１２の例では、表示パネル３と保持部材４とのすきま、および、表示パネル３の縁部における保持部材４と当接していない部分と支持部材３とのすきまが、ほぼ同時に覆われる。
【００８０】
フィルム状部材７１としては、エポキシ樹脂、アクリル樹脂、もしくはシリコーン樹脂を用いて成膜された有機膜、および、アルミニウムの蒸着もしくは窒化ケイ素のスパッタリングなどによって成膜された無機膜などが例示される。これら有機膜または無機膜によって構成されるフィルム状部材７１が、表示パネル３と、保持部材４および支持部材５とのすきまを覆うように配置され、加熱されることによって、表示パネル３、保持部材４、および支持部材５と密着する。その結果、表示パネル３と、保持部材４および支持部材５とのすきまが、有機膜または無機膜などで構成される封止部材７で封止される。封止部材７は、表示パネル３と、保持部材４および支持部材５とのすきまにディスペンサなどを用いて未固化の状態のエポキシ樹脂またはシリコーン樹脂などを供給し、これらの樹脂を熱または紫外線などによって固化させることによって設けられてもよい。封止部材７によって、第１端子群３１と第２端子群５２との接続部に達するような水分の浸入が抑制される。なお、表示パネル３と保持部材４とのすきま、および表示パネル３と支持部材５とのすきまは、別々に覆われてもよい。
【００８１】
このように封止部材７を用いて表示パネル３と保持部材４および支持部材５とのすきまを覆うことによって、表示パネル３と支持部材５との間の空間Ｓ（図８参照）が保持部材４および封止部材７によってほぼ密封される。そして、前述した貫通孔４ａ（図８参照）が保持部材４に形成されている場合、本実施形態の表示装置の製造方法は、貫通孔４ａを通じて空間Ｓの空気を吸い出すことをさらに含んでいてもよい。そうすることによって、空間Ｓをほぼ真空状態にするか、少なくとも空間Ｓ内の水分を減らすことができ、空間Ｓ内の水分の影響による表示パネル３の劣化を抑制することができる。また、表示パネル３と支持部材５の表面５ａとの界面への気泡の巻き込みを防ぐことができる。なお、空間Ｓの空気は、たとえば、吸引ポンプなどの任意の吸引手段を用いて吸い出される。吸引後の空間Ｓへの空気の再流入は、閉塞部材４ｂ（図８参照）によって防がれる。
【００８２】
［まとめ］
（１）本発明の一実施形態の表示装置は、画素を駆動する複数の駆動素子および前記駆動素子に電気的に接続された第１端子群を備える表示パネルと、前記表示パネルが載置されるべき表面を有し、前記表面に複数の配線および前記複数の配線に接続された第２端子群を備える支持部材と、直線状または屈曲した形状の棒状材を用いて前記表示パネルの縁部に沿って設けられ、前記表示パネルを前記支持部材の前記表面における所定の位置に保持する保持部材と、を備え、前記第１端子群は前記表示パネルにおける前記支持部材に向けられるべき表面に備えられており、前記表示パネルが前記支持部材の前記表面に載置され、前記第１端子群を構成する各端子が、前記第２端子群を構成する各端子に接続されている。
【００８３】
（１）の構成によれば、表示パネルまたは支持部材を当該表示装置または別の表示装置において容易に再利用することができ、しかも、配線のような、表示パネルに対する信号伝達手段を表示装置の美観を損ねずに備えることができる。
【００８４】
（２）上記（１）の表示装置において、前記支持部材が車両の窓ガラスによって構成されていてもよい。その場合、車両の振動に対しても揺れ動き難く、従って目障りになり難い配線を備えた表示装置を提供することができる。
【００８５】
（３）上記（２）の表示装置において、前記支持部材が自動車のフロントガラスによって構成され、前記複数の配線は、前記自動車の前後方向に垂直な平面への前記フロントガラスの投影像において上部２０％以内となる領域に設けられていてもよい。その場合、運転時の前方の視界が十分に確保でき安全な運行に寄与することができる。
【００８６】
（４）上記（３）の表示装置において、前記複数の配線それぞれの間に前記フロントガラスが露出していてもよい。その場合、複数の配線が遮光性の材料で形成されていても、その間を通じて前方の状況を視認することができる。
【００８７】
（５）上記（１）〜（４）のいずれかの表示装置において、前記配線および前記第２端子群は、前記支持部材と別個の基材に形成されており、前記基材が前記支持部材の前記表面に接着されていてもよい。その場合、配線および第２端子群を、支持部材に形成する場合よりも容易に形成することができる。
【００８８】
（６）上記（１）〜（５）のいずれかの表示装置において、前記表示パネルと前記保持部材とのすきまが、樹脂の固化物または有機膜もしくは無機膜によって覆われていてもよい。そうすることによって、第１端子群と第２端子群との接続部、および表示パネルと支持部材との界面へと向かう水分の浸透を防ぐことができる。
【００８９】
（７）上記（１）〜（６）のいずれかの表示装置において、前記保持部材は前記表示パネルの前記縁部と部分的に当接しており、前記表示パネルの前記縁部における前記保持部材と当接していない部分と前記支持部材とのすきまが、樹脂の固化物または有機膜もしくは無機膜によって構成される封止部材を用いて覆われていてもよい。そうすることによって、保持部材と当接していない表示パネルの縁部からの水分の侵入を防ぐことができる。
【００９０】
（８）上記（７）の表示装置において、前記表示パネルと前記支持部材との間の空間が前記保持部材および前記封止部材によってほぼ密封されており、前記空間に通じる貫通孔が前記保持部材に設けられており、前記貫通孔を塞ぐ閉塞部材が前記貫通孔に備えられていてもよい。その場合、その貫通孔を通じて、表示パネルと支持部材との間の空間の空気を外部から吸引することができ、その空間内の水分の影響による表示パネルの劣化を抑制することができる。
【００９１】
（９）上記（１）〜（８）のいずれかの表示装置において、前記表示パネルにおける前記支持部材に向けられるべき表面に、紫外線吸収層および赤外線反射層のいずれかまたは両方が形成されていてもよい。その場合、熱および／または紫外線による表示パネルの劣化が抑制される。
【００９２】
（１０）上記（１）〜（９）のいずれかの表示装置において、前記表示パネルは、前記支持部材に向けられるべき表面に画素形成領域によって生じる段差を有し、前記段差の高さに応じた厚さを有する補助部材が、前記支持部材と前記表示パネルとの間において前記画素形成領域の周囲に設けられていてもよい。その場合、表示パネルが安定して支持部材の上に保持される。
【００９３】
（１１）上記（１）〜（１０）のいずれかの表示装置において、前記表示パネルの表示面に機械的ストレスに対する保護膜が形成されていてもよい。そうすることによって、表示パネルを機械的ストレスから保護することができる。
【００９４】
（１２）上記（１）〜（１１）のいずれかの表示装置において、前記表示パネルは、前記支持部材に向けられるべき表面から前記表示パネルの側面上を通って、前記支持部材に向けられるべき表面と反対面へと延びる複数の中継配線をさらに備え、前記複数の駆動素子は、前記複数の中継配線を介して前記第１端子群に電気的に接続されていてもよい。そうすることによって、表示パネル自体の構造をシンプルにすることができると共に、その製造を簡略化することができる。
【００９５】
（１３）上記（１）〜（１２）のいずれかの表示装置において、前記表示パネルは矩形の正面形状を有し、前記第１端子群を構成する各端子は前記表示パネルの一辺に沿って配列されており、前記保持部材は、矩形の全体形状の一部に不連続部を有する枠体であり、前記保持部材において、前記表示パネルの前記一辺と当接する辺の対辺となるべき部分が前記不連続部であってもよい。そうすることによって、保持部材への表示パネルの着脱を繰り返しても、第１および第２の端子群における各端子の摩耗を抑制することができ、適正な接続状態を維持させることができる。
【００９６】
（１４）本発明の他の実施形態の表示装置の製造方法は、画素および前記画素を駆動する複数の駆動素子ならびに前記複数の駆動素子に電気的に接続された第１端子群を含む表示パネルを形成し、前記表示パネルが載置されるべき表面を有する支持部材の前記表面に複数の配線および前記複数の配線に接続された第２端子群を形成し、直線状または屈曲した形状の棒状材を前記支持部材の前記表面に接着することによって、前記表示パネルを前記表面に保持する保持部材を設け、前記表示パネルの縁部の少なくとも一部を前記棒状材に当接させ、前記表示パネルを前記支持部材の前記表面に載置する、ことを含み、前記表示パネルの前記支持部材の前記表面への載置において、前記第１端子群を前記表面に向けて前記表示パネルを前記表面に載置し、前記第１端子群を構成する各端子と前記第２端子群を構成する各端子とを接続する、ことを含んでいる。
【００９７】
上記（１４）の構成によれば、構成要素の再利用が容易で、表示パネルを適正な位置に備え、しかも、表示パネルに対する信号伝達手段を表示装置の美観を損ねずに備える表示装置を容易に製造することができる。
【００９８】
（１５）上記（１４）の表示装置の製造方法は、前記表示パネルと前記保持部材とのすきまに樹脂を供給すること、または有機膜もしくは無機膜を被せることによって、前記表示パネルと前記保持部材とのすきまを覆うことをさらに含んでいてもよい。その場合、第１端子群と第２端子群との接続部に達するような水分の浸入が抑制される。
【００９９】
（１６）上記（１４）または（１５）の表示装置の製造方法は、前記表示パネルの縁部における前記保持部材と当接していない部分と前記支持部材とのすきまに樹脂を供給すること、または前記すきまに有機膜もしくは無機膜を被せることによって、前記すきまを覆う封止部材を設けることをさらに含んでいてもよい。その場合、第１端子群と第２端子群との接続部に達するような水分の浸入が抑制される。
【０１００】
（１７）上記（１６）の表示装置の製造方法は、前記棒状材に貫通孔を形成し、前記表示パネルと前記支持部材との間の空間を前記保持部材および前記封止部材によってほぼ密封し、前記貫通孔を通じて前記空間の空気を吸い出すことをさらに含んでいてもよい。そうすることによって、その空間内の水分の影響による表示パネルの劣化を抑制することができる。
【符号の説明】
【０１０１】
１    表示装置
３    表示パネル
３ａ  画素
３ｃ  画素形成領域
３ｇ  中継配線
３１  第１端子群
３３  第１電極
３９  駆動素子（ＴＦＴ）
４    保持部材
４０  棒状材
４ａ  貫通孔
４ｂ  閉塞部材
５    支持部材
５０  基材
５１  配線
５２  第２端子群
５ａ  表面
６１、６１ａ    光学的機能層
６２  保護膜
７    封止部材
８２    接続手段（ＡＣＦ）
９  補助部材
【図１】
2019113826.tif 000003
【図２】
2019113826.tif 000004
【図３Ａ】
2019113826.tif 000005
【図３Ｂ】
2019113826.tif 000006
【図４】
2019113826.tif 000007
【図５Ａ】
2019113826.tif 000008
【図５Ｂ】
2019113826.tif 000009
【図６】
2019113826.tif 000010
【図７Ａ】
2019113826.tif 000011
【図７Ｂ】
2019113826.tif 000012
【図８】
2019113826.tif 000013
【図９】
2019113826.tif 000014
【図１０】
2019113826.tif 000015
【図１１】
2019113826.tif 000016
【図１２】
2019113826.tif 000017
【図１３】
2019113826.tif 000018